Podtech/llm-jp-corpus-v4-ja_patent huggingface dataset:
(57)【要約】【課題】従来はトラクターで散布機を牽引し、トラクターの動力に依ってスラリーの散布を行なっているのが普通であり、又、自走式のすラリー散布用の専用機もあるが、本体のＰＴＯ動力を用いるものである。【解決手段】ダンプカーの荷台上に注入口を有する蓋付きのスラリー容器を形成し、該容器の後方側面の底部にスラリーの流通路を開口すると共に、内部エンジンを装備し、該エンジンの駆動によりベルトを介して回転するオーガーを、一側面に流入口を設ける箱体の底部に配備して該底部から立設する流出用パイプの先端開口部に飛散板を設けて成る散布機の前記流入口と、前記容器の開口部に一致する位置に脱着自在に接続して成るダンプカー用着脱式スラリー散布装置。【選択図】  図１
2004232441.tif 000002
【特許請求の範囲】
【請求項１】
ダンプカーの荷台上に、注入口を有する蓋付きのスラリー容器を形成し、該容器の後方側面の底部にスラリーの流通路を開口すると共に、内部エンジンを装備し、該エンジンの駆動によりベルトを介して回転するオーガーを、一側面に流入口を設ける箱体の底部に配備して、該底部から立設する流出用パイプの先端開口部に飛散板を設けて成る散布機の前記流入口と、前記容器の開口部に一致する位置に脱着自在に接続して成るダンプカー用着脱式スラリー散布装置。
【発明の詳細な説明】
【０００１】
【発明の属する技術分野】
本発明は、スラリーの散布装置の改良に関わるものである。
【０００２】
【従来の技術】
従来はトラクターで散布機を牽引し、トラクターの動力に依ってスラリーの散布を行なっているのが普通であり、又、自走式のスラリー散布用の専用機もあるが、本体のＰＴＯ動力を用いるものである。又、類似した散布機では特願平８−１３８２９５、特願平７−２８９６６０があるが、いずれも使用に合わない。
【０００３】
【発明が解決しようとする課題】
上記従来の散布機にあっては、トラクターで牽引し且つトラクターの動力によってスラリーを散布するので、トラクターの走行速度の変化に伴い散布能力が変化し一様の散布が出来ない事、或いは大容量の散布機を牽引するため、被牽引車の重量が牽引車の重量を上回る事になり、特に下り坂での操作性、制動性が悪くなって危険な状態が生じる事等の問題がある。また、自走式の散布機にあっては、専用機としての用途以外に使用できず、さらに本体ＰＴＯ動力を使用するために速度の変化に伴い散布能力の不均一化が生じる問題がある。この問題以外に、双方共に散布機内にスラリー、土砂等の堆積物が残る問題もあり、これらの問題を解決するスラリー散布装置を実現することが本発明の課題である。
【０００４】
【課題を解決するための手段】
ダンプカーの荷台上に、注入口を有する蓋付きのスラリー容器を形成し、該容器の後方側面の底部にスラリーの流通路を開口すると共に内部エンジンを装備し、該エンジンの駆動によりベルトを介して回転するオーガーを一側面に流入口を設ける箱体の底部に配備して、該底部から立設する流出用パイプの先端開口部に飛散板を設けて成る散布機の前記流入口と、前記容器の開口部に一致する位置に脱着自在に接続して成るダンプカー用着脱式スラリー散布装置として課題を解決している。
【０００５】
【発明実施の形態】
本発明の実施態様を図面に示す実施例にもとずき詳述する。
図において、Ａは防水加工を施したスラリー散布機を示しており、同散布機Ａは従来のダンプカーＤを深あおりに改造する荷台１を有するものであり、荷台１に、スラリー注入口１４を設けた上蓋２を載設するスラリー容器Ｂに、外部エンジン４付き着脱自在のスラリー散布装置３をボルト５によりパッキング１２を介して固定している。
【０００６】
注入口１４よりスラリー容器Ｂに注入されたスラリーは、自然落下でスラリー容器Ｂの低部に設ける流通路１５を通ってスラリー散布装置３の流入口１６に流入し、外部エンジン４に依り駆動軸６，プーリー８及びベルト７を介して駆動するオーガー９の回転に依り発生する噴出力で、スラリー散布装置３の後方に立設するスラリー誘導パイプ１０を経て、このスラリー誘導パイプ１０の先端開口部１７の外側に設ける飛散板１１に衝突し後方上部より勢い良く均一に散布される。
【０００７】
また、荷台１とスラリー散布装置３の取り付けは、通常はクレーン等で吊り上げて仮設し、その後ボルト５等で固定するものである。
スラリー容器Ｂ内に、スラリーが左右に大きく流動することの無いように仕切り板１３を設け、スラリー容器Ｂと荷台１との間にはゴム材等のパッキング１２を敷設して液漏れを防止している。
傾斜地等での使用でスラリーがスラリー容器Ｂ内に残るような条件下では、ダンプカーＤのダンプを揚げる事で堆積物が残らず散布が可能となる。
亦、荷台１の後部に深あおりを取り付けることにより、従来のダンプカーＤとしても使用が可能となる。
【０００８】
【発明の効果】
本発明は、自走する事により走高速度を早めることが出来、作業能率が向上する。牽引車で無いので操作上の熟練が必要なく、連操作性或いは制動制がよく安全性の向上が図れる。また、ダンプカーの使用に依り、荷台を揚げる事が出来るので容器内にスラリーの堆積物が残らない。着脱自在であり、ダンプカーとスラリー散布機の二つの機能を生かす事が可能で、掃除が容易で、腐食或いは錆の発生が少なく保守が容易となり、耐久性が高まり経済効果が高まる。
外部エンジンの搭載に依り、本体の走行速度に関係なく独立の運動を取り出せるので散布が均一に実行される。
本発明は、上記のような特有の効果を有するものである。
【図面の簡単な説明】
【図１】本発明装置全体の一実施例における側面図
【図２】スラリー散布装置断面図
【図３】スラリー散布装置平面図
【符号の説明】
Ａ・  スラリー散布機
Ｂ・  スラリー容器
Ｄ・  ダンプカー
１・  ダンプカー荷台
２・  上蓋
３・  着脱式スラリー散布装置
４・  外部エンジン
５・  ボルト
６・  駆動軸
７・  ベルト
８・  プリー
９・  オーガー
１０・  スラリー誘導パイプ
１１・  飛散板
１２・  ゴムパッキン
１３・  仕切り板
１４・  スラリー注入口
１５・  流通路
１６・  流入口
１７・  先端開口部
【図１】
2004232441.tif 000003
【図２】
2004232441.tif 000004
【図３】
2004232441.tif 000005
(57)【要約】【課題】女性が排尿後に洗浄したい時に、便座の下から伸びる式のビデでは位置が違ったり思うように洗浄出来ない。便座の下にノズルがあるので清潔さに不安がある。【解決手段】従来のお尻洗浄便座の温水タンクにシャワーを取り付け上から洗浄する。【選択図】図１
2004232444.tif 000002
【特許請求の範囲】
【請求項１】
上から洗浄出来るビデ
【請求項２】
従来の洗浄トイレ便座に小さなシャワーを取り付けることにより下からではなく上から洗浄出来る。
【発明の詳細な説明】
【０００１】
【発明の属する技術分野】
この発明は、トイレお尻洗浄便座の形状に関する。
【０００２】
【従来の技術】
従来のお尻洗浄器の形状は、便座の下から用途にあわせてノズルが出てきて温水が噴出され洗浄する。
【０００３】
【発明が解決しようとする課題】
しかしながら、以上の従来技術によれば、女性が排尿後に洗浄しようとしてもビデの位置が前後のみ動く様に固定されており前の方が洗浄しにくい。なお、病気、怪我、等により入浴出来ない人の泌尿器の洗浄を楽にする洗浄器を提供することを課題とする。
【０００４】
【課題を解決するための手段】
上から洗浄出来るビデ。
以上の課題を解決するために、請求項１の発明は、従来のお尻洗浄便座にシャワー器具をとりつけたおしり洗浄便座である。
【０００５】
【発明実施の形態】
この発明の一形態を、図１に示す。
【０００６】
「実施形態の効果」
この実施形態によれば、シャワーを持って前から自由に洗浄できる。
便器の中にノズルがないので清潔である。
【０００７】
「他の実施形態」
この実施形態によれば、洗剤を使っても洗浄できる。
【０００８】
【発明の効果】
以上説明したように、この発明によれば、トイレには行けるが入浴出来ない人、老人の女性は、入浴しにくい人が多く、においがしたり不潔になりやすいが、このシャワービデを使えば簡単に清潔が保てる。また、この実施形態によれば、ほとんどの女性はトイレットペーパーでふくだけなのが、排尿の度に前が洗浄出来常に清潔が保たれる。
【図面の簡単な説明】
【図１】この発明の一実施形態を表す斜視図である。
【図２】この発明の一実施形態を表す裏面図である。
【図３】シャワーノズルヘッドの形態を表す裏面図である。
【図４】シャワーノズルヘッドの形態を表す表図である。
【図５】従来技術を表す斜視図である。
【符号の説明】
１  温水タンク          ２  シャワーヘッド      ３  おしり洗浄ノズル
４  操作部              ５  温水シャワースイッチスライド式
６  温水噴射口          ７  把っ手              ８ビデノズル
【図１】
2004232444.tif 000003
【図２】
2004232444.tif 000004
【図３】
2004232444.tif 000005
【図４】
2004232444.tif 000006
【図５】
2004232444.tif 000007
(57)【要約】【課題】ドアを施錠した、と確認をする場合、ランプなど目での、手ざわりなど接触での、他ともかくそれらの単なる刺激での確認では、時間経過後、施錠したかな、と不安になる事が有る。【解決手段】単なるや危害のある刺激ではない、すなわち火に触っての熱い痛みなど、他、あらゆる人間の嫌な、又は好きな刺激を学習する事により、その様な行為を避けよう、又は欲しようとする事は、人間は苦痛は嫌、快楽は好きという性質がある、という事は、これらの刺激は意識する、すなわち記憶に残るという事であり、これを利用する。すなわち左手で嫌な刺激である、電気刺激を与える装置を組合わせた、ドアノブ兼電極１を握ったまま、右人差し指で電気刺激を与える電極２に触ると嫌な刺激である、電気が流れ、苦痛を感じると同時に閉めたと確認する。これにより確実な確認を果たし、時間経過後は刺激が記憶に残っているので、確認した時点に戻る事が出来、不安を打ち消すことが出来る。【選択図】  図１
2004232445.tif 000002
【特許請求の範囲】
【請求項１】
人間の嫌な、又は好きな、又は嫌なと好きなが共存する刺激を与える装置、又は物と、操作位置や状態を確認したい装置や物とを組合わせる、又は組む、確認装置
【発明の詳細な説明】
【０００１】
【発明の属する技術分野】
本発明は、装置や物の操作位置や状態の確認を人間に確実に果たさせ、記憶させる、確認装置に関するものである。
【０００２】
【従来の技術】
ドアなどを施錠、又は開錠した、電気機器などのスイッチを入れた、又は切つた、自動車などのハンドブレーキを引いた、又は外した、窓などを閉めた、又は開けた、薬などを飲んだ、など、他あらゆる装置の操作位置や、物の状態の確認をする場合、ランプや表示や色や位置や状態など目での、電子音や操作音など耳での、手ざわりなど接触での、他ともかくそれらの単なる刺激を五感を含む感覚のいずれか一つ、又は複数で確認していた。
【０００３】
【発明が解決しようとする課題】
ランプなど目での、電子音など耳での、手ざわりなど接触での、ほかともかくそれらの単なる刺激を五感を含む感覚のいずれか一つ、又は複数での確認では、時間経過後、例えばドアを施錠したかな、と不安になる事が有る。これは毎日同じ事をくり返しているとよく経験する事であり、例えば点検表などに記録するなどはわずらわしく、一般的ではない。そこで単なる刺激を五感を含む感覚のいずれか一つ、又は複数での確認の記憶ではなく、記憶に残る刺激を与える事の出来る装置、又は物と操作位置や状態の確認をしたい装置や物とを組合わせる、又は組む事により、刺激が記憶に残る、すなわち刺激の記憶と操作位置や状態の確認とを関連させる事によつて、前述の欠点を解消しようとするものである。
【０００４】
【課題を解決するための手段】
本特許は、前述した単なる刺激ではなく、又当たり前の事で、危害を与える刺激でもない。すなわち火などにさわつての熱い痛み、針などに刺しての痛み、戸などに挟んでの痛み、他や、梅干しなどのすっぱい嫌さ、他や、恐怖や、不安など他、あらゆる、人間の嫌な、又は反対の好きな、又は嫌なと好きなが共存する刺激を学習する事により、その様な行為を避けよう、又は欲しようとする事は、人間は苦痛は嫌、快楽は好きという性質がある、という事は、これらの刺激は性質上、意識する、すなわち記憶に残るという事であり、これを利用した発明である。すなわち操作位置や状態を確認したい、装置や物に、人間の嫌な、又は好きな、又は嫌なと好きなが共存する刺激を与える装置、又は物を組合わせる、又は組む事により、操作した人間が五感を含む感覚のいずれか一つ、又は複数で刺激を与える装置より刺激を受ける事により、その刺激が意識させられる、すなわち記憶に残る。すなわち刺激の記憶と操作位置や状態の確認とを関連させる事により、操作時点では確実な確認の役目を果たし、時間経過後は刺激が記憶に残っているので、状態を確認した時点に戻る事が出来、不安を打ち消すことが出来る。ここで人間は不安を持ちたくないという性質があり、その不安を持たない様にする過程で本特許は役立つ。
【０００５】
【発明の実施の形態】
人間の嫌な、又は好きな、又は嫌なと好きなが共存する刺激を与える装置、又は物と、操作位置や状態を確認したい装置や物とを組合わせる、又は組む。
【０００６】
【実施例】
添付図面に従って一実施例を説明する。ドア４に人間の嫌な刺激である、電気刺激を与える装置を組合わせた、ドアノブ兼電極１と電気刺激を与える電極２を組合わせる。カギ穴３にカギを差し込み施錠し、左手で電気刺激を与える装置を組合わせた、ドアノブ兼電極１を握り、ドア４が開かないか確認し、握ったまま、右人差し指で電気刺激を与える電極２に触ると嫌な刺激である、電気が体を流れ、苦痛を感じると同時に、閉めたと確認する。
【０００７】
【発明の効果】
確認する際に、人間が学習によって得た、人間の嫌な、又は好きな、又は嫌なと好きなが共存する刺激、すなわち意識する刺激、すなわち記憶に残る刺激を足し、関連さす事により、人間の性質を利用した、今までにない、確実な確認と記憶をさす事が出来、不安をなくす。
【図面の簡単な説明】
【図１】本発明の確認装置の一実施例を示す正面図である。
【符号の説明】
１  電気刺激を与える装置を組合わせた、ドアノブ兼電極
２  電気刺激を与える電極
３  カギ穴
４  ドア
５  枠
【図１】
2004232445.tif 000003
(57)【要約】【課題】従来は、伸縮部材素子（圧電素子）のまわりに液体の封入が必要であったため構造と製作が複雑であり、また、圧電素子と弁体が直接接触しているため、片当たりによる磨耗が発生するという問題があった。【解決手段】本発明は、素子の変位が同じ直動型であっても、圧電素子のまわりに液体を封入することを不要とするために、圧電素子と弁体の間に圧電素子に固定される部材と弁部に固定される部材を入れ、この間に介在する部材の接触部の少なくとも一方を球面としたことを特徴とする。【効果】本発明によれば、組み立て性がよくなり、また、低コストにより燃料噴射弁の製作が可能となる。また、磨耗低減により生じる不安定な弁の動きを抑制でき、長期間最適な流量特性を得られることとなる。【選択図】  図２
2004232463.tif 000002
【特許請求の範囲】
【請求項１】
エンジンに取り付けられ、圧電素子と、燃料通路内に進退可能に配置され、前記圧電素子によって駆動される外開き弁体と燃料噴射孔を持つノズルを有する燃料噴射弁において、圧電素子と外開き弁体との間に少なくとも２つ以上の別部材を介在することを特徴とする燃料噴射弁。
【請求項２】
請求項１において、２つの部材の片方が圧電素子に固定され、もう一方が外開き弁体に固定されることを特徴とする燃料噴射弁。
【請求項３】
請求項１において、圧電素子と外開き弁体との間に介在する部材の少なくとも一方が球状となっていることを特徴とする燃料噴射弁。
【発明の詳細な説明】
【０００１】
【発明の属する技術分野】
この発明はエンジンに取り付けられ、燃料を噴射する装置に関するものであり、特にそれに用いるインジェクタの改良に関する。
【０００２】
【従来の技術】
特開平９−２８７５３８号公報において示された燃料噴射弁では、素子の変位が直動型かつ伸縮部材素子のまわりに液体を封入することで素子と拡大機構の磨耗や弁開閉の不安定問題を解消することを特徴とする燃料噴射弁となっている。
【０００３】
【特許文献１】
特開平９−２８７５３８号公報
【０００４】
【発明が解決しようとする課題】
従来の発明は、伸縮部材素子（圧電素子）のまわりに液体の封入が必要であったため構造と製作が複雑であること、また、圧電素子と弁体が直接接触しているため、片当たりによる磨耗が発生すると、弁が傾いて動いてシート部の偏磨耗が発生し油密不良になったり、弁の動きが不安定になり噴射量の再現性がなくなったりする可能性がある。
【０００５】
【課題を解決するための手段】
本発明は、素子の変位が同じ直動型ではあるが、圧電素子のまわりに液体を封入することを不要として、圧電素子と弁体の間に圧電素子に固定される部材と弁部に固定される部材を入れ、この間に介在する部材の接触部の少なくとも一方を球面としたことを特徴とするものである。
【０００６】
【発明の実施の形態】
従来の発明は、圧電素子のまわりに液体の封入が必要であったため、構造と製作が複雑であること、また、圧電素子と弁体が直接接触しているため、片当たりによる磨耗が発生すると、弁が傾いて動いてシート部の偏磨耗が発生し油密不良になったり、弁の動きが不安定になり噴射量の再現性がなくなったりする可能性がある。
【０００７】
本発明は、素子の変位が同じ直動型ではあるが、圧電素子のまわりに液体を封入することを不要として、圧電素子と弁体の間に圧電素子に固定される部材と弁部に固定される部材を入れ、この間に介在する部材の接触部の少なくとも一方を球面としたことを特徴とするものである。この場合、長期間作動時、弁の開閉距離が変化することはなく、必要な流量特性を得られることとなる。
【０００８】
〔第１実施例〕
図１は本発明による燃料噴射弁（インジェクタ）のエンジンに装着されている１実施例を示したものである。燃料タンクから燃料は高圧燃料ポンプによりくみ上げられ、高圧化された燃料はフューエルパイプを通り、インジェクタへ供給される。インジェクタはエンジン上部に取り付けられ、燃焼室内に直接燃料を噴射する構成となっている。
【０００９】
図２は燃料噴射弁の断面図である。燃料噴射弁は主にボディ部２とノズル部３から構成されている。ボディ部２の中に、圧電素子４がＯリング５により固定され、スペーサ６およびキャップ７ａ，７ｂにより保持される構造となっている。一方、ノズル部３の中にノズル部３をシールするＯリング８，開閉する弁体９，弁体９を保持するオリフィスプレート１０，燃料を旋回させるスワラ１１，スワラ１１を保持するプレート１２，圧電素子４の駆動を直接受ける、スプリング１３，弁ガイド１４，圧電素子４に固定されるスペーサ１５が構成されている。弁体９と弁ガイド１４は圧入によって固定され一体化されるものである。シール材１６はエンジンと燃料噴射弁との間からの燃料洩れを防止するものである。高圧燃料ポンプから供給された燃料は、パイプ１７を通って燃料噴射弁内部に満たされ、圧電素子４に電圧が印加されると図面上、下向きに変位（駆動）し、スペーサ１５および弁ガイド１４，弁体９がスプリング１３を下向きに押し下げることで、弁体９とオリフィスプレート１０との間に隙間が生じ、高圧燃料噴射が可能となる。
【００１０】
本実施例では、圧電素子４に１５０Ｖ印加したとき、素子の先端部変位が約４０ミクロンとなるものであり、図面上、下向きに変位する直動型の断面図を示している。前記、素子の変位がスペーサ１５，弁ガイド１４，スプリング１３を４０ミクロン押し下げ、弁ガイド１４と一体となった弁体９が下向きに４０ミクロン押し下げられたとき、燃料を噴射することができる構造となっている。本実施例では、圧電素子４のまわりに液体を封入することを不要としていること、また、圧電素子４と弁体９の間に圧電素子４に固定されるスペーサ１５および軸ずれ防止機能をもった弁ガイド１４を入れ、各々の部材を同材料または球面接触させることで、接触部の磨耗をなくすこと、また、弁開閉の不安定問題を解消することを特徴とするものである。この場合、長期間作動時、弁の開閉距離が変化することはなく、必要な流量特性を得られることとなる。
【００１１】
【発明の効果】
本発明によれば、圧電素子のまわりに液体を封入することが不要であり、組み立て性がよくなり、また、低コストにより燃料噴射弁の製作が可能となる。また、磨耗低減により長期的に最適な流量特性を得られることとなる。
【図面の簡単な説明】
【図１】ＤＩエンジンシステムの構成例。
【図２】本発明の第１実施例。
【符号の説明】
２…ボディ部、３…ノズル部、４…圧電素子、５，８…Ｏリング、６，１５…スペーサ、７ａ，７ｂ…キャップ、９…弁体、１０…オリフィスプレート、１１…スワラ、１２…プレート、１３…スプリング、１４…弁ガイド、１６…シール材、１７…パイプ。
【図１】
2004232463.tif 000003
【図２】
2004232463.tif 000004
(57)【要約】【課題】納豆を電動で簡単にかき混ぜられ、且つかき混ぜた回数が表示される、電動式の納豆かき混ぜ機を提供する。【解決手段】電池ボックスを内蔵した本体（１）に、取り外しの可能な納豆かき混ぜ棒（２）を付属させ、始動ボタン（５）を押すことで、納豆かき混ぜ棒（２）が回転し、カウンターリセットダイヤルもしくはカウンターリセットボタン（４）によってリセットされたカウンター（２）上に納豆かき混ぜ棒（２）の回転数が表示されることを特徴とする。【選択図】図１
2004160106.tif 000002
【特許請求の範囲】
【請求項１】
電池ボックス内蔵の本体（１）に、取り外しのできる納豆かき混ぜ棒（２）をセットし、始動ボタン（５）を押すことで納豆かき混ぜ棒（２）が回転し、納豆かき混ぜた棒（２）の回転数がカウンター（３）に表示されることで、かき混ぜた回数の把握ができる、電動式の納豆かき混ぜ機。カウンターは、本体（１）に設置されたリセットダイヤルもしくはリセットボタン（４）によって簡単にリセットすることができる。
【発明の詳細な説明】
【０００１】
【発明の属する技術分野】
この発明は、電動で納豆をかき混ぜ、かき混ぜた回数が把握できる、納豆かき混ぜ機に関するものである。
【０００２】
【従来の技術】
従来の納豆のかき混ぜ方は、箸を使いかき混ぜていた。納豆の味は糸引きの度合いに関係し、たくさんかき混ぜることで納豆の旨みが引き出されるといわれている。しかし、回数をたくさん、例えば１００回、２００回とかき混ぜるような場合は多大の労力が必要となる。また、手の不自由な人やお年寄り、小さな子供にとっても納豆をかき混ぜるという作業は簡単とはいえないようである。
【０００３】
【発明が解決しようとする課題】
これは次のような欠点があった。
納豆は１００回、２００回とたくさんかき混ぜることで糸引きの強さが変化し、納豆の旨みが一層引き出されると言われている。しかし、たくさんかき混ぜるという作業は手間がかかり、手も疲れてしまう。特に朝食の時間帯は忙しいため、大変煩わしい作業となってしまっている。
さらに、何回かき混ぜたのかという、かき混ぜた回数の把握は誰しも興味があるところである。特に、納豆が大好きな人や、味にこだわりをもつ人にとって、納豆を何回かき混ぜるかは人それぞれの好みがあるようである。しかし、１００回、２００回とかき混ぜながら、その数を数えることは、数え間違える可能性もあり、なんといっても面倒くさい作業となってしまっている。
また、納豆をかき混ぜるという動作は、手の不自由な方や小さな子供、握力の落ちたお年寄りにとっても大変煩わしいことのようである。
本発明は、以上のような欠点をなくすためになされたものである。
【０００４】
【課題を解決するための手段】
電池ボックスを内蔵した本体（１）にカウンター（３）と、カウンター（３）に表示された数値をリセットする、カウンターリセットダイヤルもしくはカウンターリセットボタン（４）を設け、取り外しの可能な納豆かき混ぜ棒（２）を付属させる。納豆かき混ぜ棒（２）は、始動ボタン（５）を押すことで回転する。
本発明は、以上の構成よりなる電動式の納豆かき混ぜ機である。
【０００５】
【発明の実施の形態】
以下、本発明の実施の形態について説明する。
まず、市販の電池を本体（１）内に装着する。
本体（１）にはカウンター（３）が設置されている。
カウンター（３）に表示された数値は、本体（１）に装備されたカウンターリセットダイヤルもしくはカウンターリセットボタン（４）を回すもしくは押すことでリセットされる。
本体（１）には、取り外し可能は納豆かき混ぜ棒（２）を装着する。
本体（１）には、納豆かき混ぜ棒（２）の回転運動を始動させる、始動ボタン（５）が設置されている。
本発明は以上のような構造で、これを使用するときは、本体（１）に納豆かき混ぜ棒（２）を装着し、カウンターリセットダイヤルもしくはカウンターリセットボタン（４）を押すことでカウンターの数字をリセットし、続いて始動ボタン（５）を押し、納豆かき混ぜ棒（２）を回転させる。この納豆かき混ぜ棒（２）の先を、納豆の入れられた容器もしくは小鉢などの中に入れ、納豆かき混ぜ棒（２）の回転運動によって、容器もしくは小鉢の中の納豆をかき混ぜる。
納豆かき混ぜ棒（２）の回転数は、カウンター（３）上に表示される。
【０００６】
【発明の効果】
始動ボタン（５）を押して納豆かき混ぜ棒（２）を回転させ、納豆かき混ぜ棒（２）の先端を納豆の入れられた容器もしくは小鉢などに入れ、納豆かき混ぜ棒（２）の回転運動によって、納豆をかき混ぜることができる。
そのため、手が疲れることもなく、たくさんの回数をかき混ぜることができ、また手の不自由な人や小さな子供、握力の弱ったお年寄りにでも簡単に納豆をかき混ぜることができる。
さらに、カウンター（３）に、かき混ぜた回数が表示されるため、かき混ぜた回数をいちいち数える必要がなくなる。
【図面の簡単な説明】
【図１】本発明の分解斜視図である。
【図２】本発明の斜視図である。
【符号の説明】
１  本体
２  納豆かき混ぜ棒
３  カウンター
４  カウンターリセットダイヤルもしくはカウンターリセットボタン
５  始動ボタン
【図１】
2004160106.tif 000003
【図２】
2004160106.tif 000004
(57)【要約】      （修正有）【課題】歩行のリハビリテーションを含め、怪我などで歩行能力が一時的に損なわれた場合や、高齢者など歩行能力が定常的に衰えた場合に対し、柔軟にその歩行を介助する。【解決手段】腕などで身体を支える枠構造１に、使用者が身体を支えられる支持台２を備え、その構造全体を車輪３で支える。車輪３のうちの少なくとも２個は、モータなどのアクチュエータにより駆動制御される。枠構造および支持台には、それらにかかる力などを検出してその使用者の歩行についての意図を検知し、あるいは身体位置のバランスを崩した状態を検知するためのセンサ４が装着され、使用者がどちらの方向に歩行しようとしているか検知し、車輪に備えた駆動力を制御する。【選択図】  図１
2004160105.tif 000002
【特許請求の範囲】
【請求項１】
歩行の姿勢において腕などで身体を支える枠構造をもち、その構造全体を車輪で支え、その枠構造にかかる力を検出してその使用者の歩行についての意図を検知し、あるいは身体位置のバランスを崩した状態を検知し、車輪に備えた駆動力を制御して安全に歩行させるための歩行介助方法。
【発明の詳細な説明】
【０００１】
【発明の属する技術分野】
この発明は、手で何かにつかまらなくては歩行できない人に歩行させたり、歩行の練習をさせるために、歩行者の意図をセンサで検出して能動的駆動力を制御し、かつ前方がオープンな構造にして使いやすくしようとするものである。
【０００２】
【従来の技術】
従来から歩行を介助する器具や装置はあるが、能動的駆動力のない器具では長時間自力で推進させるのが苦痛であったり、能動的駆動力があるものでは大きすぎたり前方がふさがっていて扱いにくいなどの問題がある。
【０００３】
【発明が解決しようとする課題】
そのような従来技術の課題は、能動的駆動力とその制御性、軽便さ、そして安全性をいかに実現するかにある。
【０００４】
【課題を解決するための手段】
使用者個人個人の歩行能力にもよるが、ある程度広い適応性を付与するには、能動的駆動力を有する方が望ましい。ただし、歩行者にとって操作性が良いことが必要であり、しかも特別の場合を除いて手操作などを用いないことが良い。このようなかなり高度な機能を持っても、大きさや重量などで大掛かりになることは好ましくなく、なるべく軽便でかつ、前方に向かって開  いていることが望ましい。
【０００５】
【発明の実施の形態】
上述の課題を解決するために、図１のような構造を持たせる。すなわち、歩行の姿勢において腕などで身体を支える枠構造１をもち、枠構造には使用者がその身体を支えられるように支持台２を備え、その構造全体を車輪３で支える。車輪３のうちの少なくとも２個はモータなどのアクチュエータにより、駆動制御されるものである。枠構造および支持台には、それらにかかる力などを検出してその使用者の歩行についての意図を検知し、あるいは身体位置のバランスを崩した状態を検知するためのセンサ４が装着される。複数のセンサから、使用者がどちらの方向に歩行しようとしているか検知し、車輪に備えた駆動力を制御して安全に歩行させることによって、従来の課題を解決しようとするものである
【０００６】
【発明の効果】
本発明により、歩行のリハビリテーションを含め、怪我などで歩行能力が一時的に損なわれた場合や、高齢者など歩行能力が定常的に衰えた場合に対し、柔軟にその歩行を介助する効果を挙げることが出来る。
【図面の簡単な説明】
【図１】本発明の実施例を示す図
【図１】
2004160105.tif 000003
(57)【要約】      （修正有）【課題】ベッド上での諸排泄介護において排泄時の局部洗浄・吸引・脱臭を効率良く行うと共に排泄物・オムツ・洗浄水を使い捨て便袋に受収して一括廃棄する事で排泄介護の省力化とカブレ防止と環境良化を行うものである。【解決手段】台板上に温水洗浄器、真空吸引機、脱臭器を取付け、各先端に洗浄ノズル、吸引ノズル、脱臭ラッパ管を装着したチューブ、ホースを取付け、人体の腰下に便袋を着脱出来るニューオマルを挿入してなるベッド排泄介護装置。【選択図】図１
2004160113.tif 000002
【特許請求の範囲】
【請求項１】
一定温度範囲内の温水を噴射出来る洗浄ノズルを可撓のチューブ先端に取付けた温水機と、真空吸引出来るノズルを可撓の吸込みホース先端に取付け且つ分離カップを備えた真空吸引機と、可撓の吐出しホース内に脱臭器からの脱臭剤を注入し先端にラッパ管を取付けてなる洗浄・吸引・脱臭セットと、別に内面に便袋を脱着出来るニューオマルとからなる事を特徴とするベッド排泄介護装置。
【発明の詳細な説明】
【０００１】
【産業上の利用分野】
本発明は障害、疾病、高齢等によるネタキリ状態の患者のベッド上での排泄介護を手軽に短時間に行うと共に排泄に伴う悪臭を除去して環境を良化し、排泄局部を清浄にして爛れ等の疾病を防ぐベッド排泄介護装置に関するものである。
【０００２】
【従来の技術】
従来、ベッド上での排泄は患者の状態に応じて下記の三方法が取られている。
▲１▼尿瓶・オマル等の便器に直接排泄し、介護者が便器を洗浄して再使用する。
▲２▼オムツに排泄して介護者が交換する。
▲３▼肛門内の固化糞は介護者が直接指で掻きだす。
【０００３】
【発明が解決しようとする課題】
従来のベッド排泄方法に共通している諸問題は
イ、  排便後の局部は概ね紙等で拭き取っており、充分な清浄とは言えない。
ロ、  排泄の悪臭が除去されずに寝具・室内に付着し、環境を悪化する。
ハ、  尿瓶・オマル等便器の洗浄と乾燥に著しく手間が掛かる。
ニ、  肛門内に指を差し込む事は患者に疼痛と羞恥をもたらす。
【０００４】
本発明はこの様な諸問題を解決すると同時に排泄介護の省力化と介護費の節減を図るものである。
【０００５】
【課題を解決する為の手段】
ベッド上における三分類の排泄介護を清潔に手際良く行うために、台板上に一定温度範囲内の温水を可撓チューブ先端のノズルから噴射出来る温水洗浄器と、肛門内固化糞を吸引出来る真空吸引機と、脱臭剤を噴出出来る脱臭器とを一体化した洗浄・吸引・脱臭セットと、患者の腰下に差込むニューオマルに装着した使い捨て便袋からなるベッド排泄介護装置によりベッド排泄に伴う諸問題を一挙に解決し、介護の効率向上、局部のカブレ防止、環境改善を図る。
【０００６】
【作用】
患者の腰下に使い捨て便袋を装着したニューオマルを差込み、該便袋内に排泄物、オムツ、局部洗浄水を受収し排泄時の局部洗浄、脱臭、吸引排便を行った後に便袋を外して一括廃却する。
【０００７】
【実施例】
以下、本発明のベッド排泄介護装置の実施例につき図面を参照して説明する。図１は本装置全体の使用図、図２は洗浄・吸引・脱臭セットの構成図である。１は台板２上にサーモヒーター付き温水器３と、分離カップ付き真空吸引機４と、吸引機の空気吐出し側に脱臭剤オゾンを噴出する脱臭器５取付けた洗浄・吸引・脱臭セットである。  温水器３は着脱出来る温水タンク６内の水を下部に取付けたサーモヒーターで常時３８〜４２℃に温めておき、同じく温水ポンプ７から可撓チューブ８を経て先端の手動バルブ付き洗浄ノズル９から排泄局部に温水を吹き付けて洗浄する。  真空吸引機４は真空ポンプ１０により可撓の吸込みホース１１の先端に装着した吸引ノズル１２から空気・水・異物を一旦着脱出来る分離カップ１３に受けて空気だけを分離して可撓の吐出しホース１４から圧送し、カップ内に滞留した水と異物は事後捨てて洗浄しカップは再使用する。  吐出しホース１４内に対し脱臭器５で発生させた脱臭剤オゾンをエアーポンプ１５で圧注してホース先端のラッパ管１６から排泄局部周辺に広範囲に吹き付けて脱臭し、同時に相当程度の滅菌も行う。    １７は人体である。    １８はニューオマルで中央の窪みに防水紙からなる使い捨て便袋１９を着脱自在に装着し人体の腰下に挿入する。  患者の状態に応じニューオマルは便袋を装着してから患者を左右に側転させて腰下に挿入するか、患者の両腿をリフトで持ち上げて排泄物・オムツ／洗浄水を受収する。
【０００８】
以上の構成のベッド排泄介護装置は患者の腰下にニューオマル１８を差込み該オマルに装着した使い捨て便袋１９内に排泄物・オムツ・洗浄水を受けて収納し、一括して廃却する事により、従来の方法における便器の洗浄、乾燥作業を皆無として介護の省力化と時間短縮を実現した。
【０００９】
洗浄・吸引・脱臭セット１により、排泄後の局部洗浄を充分に行ってカブレを防止し、吸引ノズル１２によって肛門内固化糞を患者の苦痛無く吸引して分離カップ１３に受けて分離し洗浄し易くし、排泄作業中はオゾンにより広範囲に脱臭滅菌して寝具・居室の環境を良化する。  本装置では脱臭剤としてオゾンを使用しているがオゾンアレルギーの患者に対しては別種の脱臭剤を使用する。
【００１０】
図示しないが１８ニューオマルは在来のようにゴム、プラスチック、金属材ではなく、段ボール材などで作り無公害廃棄をする。
また図示しないが真空ポンプ１０にダイアフラム型を使用すれば静音、小型化が可能である、本例ではターボブロワーを使用して洗浄後の局部乾燥とベッド上の吸引掃除も出来る様にした。
【００１１】
図示しないが１の洗浄・吸引・脱臭セットには提げ手を付けるか、台板下面にキャスターを付けるかして移動しやすくする。
【００１２】
【発明の効果】
ベッド上での様々な排泄において、洗浄・吸引・脱臭を連続的に行い、排泄物・オムツ・洗浄水等の汚物を使い捨て便袋に受けて一括廃棄する事により、局部のカブレ防止、脱臭による環境良化、吸引による患者の苦痛軽減効果と共に介護の省力化による介護費の節減効果も大きい。
【図面の簡単な説明】
【図１】本発明品の使用説明図である。
【図２】本発明品のうちの洗浄・吸引・脱臭セットの構成図である。
【符号の説明】
１    洗浄・吸引・脱臭セット
２    台板
３    サーモヒーター付き温水器
４    真空吸引機
５    脱臭器
６    温水タンク
７    温水ポンプ
８    温水チューブ
９    バルブ付き洗浄ノズル
１０    真空ポンプ
１１    吸込ホース
１２    吸引ノズル
１３    分離カップ
１４    吐出ホース
１５    エアーポンプ
１６    ラッパ管
１７    人体
１８    ニューオマル
１９    便袋
【図１】
2004160113.tif 000003
【図２】
2004160113.tif 000004
(57)【要約】【課題】指先に軽い刺激を与えると、つぼの刺激とリラックス効果を得ることができるが、従来の技術では指全体に微振動を与える方法は提供されていない。【解決手段】伸縮性素材で形成した左右一対の手袋の手首部分に電源、スイッチを装着し、電源より指先に設けて振動体に配線して振動を生じさせたり、手首部分に振動体を装着し、振動体と各指先に設けた振動板を連結軸で接続した振動体の振動を指先に伝達する。【選択図】    図１
2004160120.tif 000002
【特許請求の範囲】
【請求項１】
伸縮性素材で形成した左右一対の手袋の手首部分に電源、スイッチを装着し、電源より指先に設けた振動体に配線して振動を生じさせることを特徴とした指先マッサージ手袋。
【請求項２】
伸縮性素材で形成した左右一対の手袋の手首部分に電源、スイッチ、振動体を装着し、振動体と各指先に設けた振動板を連結軸で接続して振動体の振動を指先に伝達することを特徴とした指先マッサージ手袋。
【発明の詳細な説明】
【０００１】
【発明の属する技術分野】
本発明は、手袋の指先に設けた振動板により、指先のつぼの刺激による健康効果と気持ちのリラックス効果を得る健康器具に関している。
【０００２】
【従来の技術】
手の指に使用する従来のマッサージ用具は、振動発振部を有するケースを２〜３本の指にはめて，指に振動を与え、振動している指を身体に当てることにより振動をマッサージ部分に伝達する方法で、振動による直接の刺激によりリラックス効果を求めたものはない。
【０００３】
【発明が解決しようとする課題】
現代社会においては、電車や車の混雑、対人関係、不況、空気の汚れ等ストレスを蓄積しやすく、運動、音楽、飲酒、温泉、マッサージ等各人各様のストレス発散を目指している。
【０００４】
手の指先には身体の器官のつぼが集積している。そこで、指先に軽い刺激を与えると、つぼの刺激とリラックス効果を得ることができるが、手の指先に刺激を与える方法としては、鍼灸医師が針で治療する程度である。特定の指にリングを嵌めて振動させる方式のものもあるが、指全体の振動を利用することを目的とし、リラックスさせるために指に振動を与えるものではない。本発明においては、手の指全体に微振動を与えることで、気持ちを楽にさせる効果を得るもので、従来の技術では指全体に微振動を与える方法は提供されていない。
【０００５】
【課題を解決するための手段】
そこで本発明の請求項１においては、左右の手に同時に嵌めて使用することのできるように、左右一対の手袋を伸縮性素材で形成する。手首部分に電源、スイッチを装着する。電源には乾電池やボタン電池を使用し、電源より指先までの配線を経由して指先に設置した振動体を振動させることにより、指先をマッサージする。
【０００６】
請求項２に記載の指先マッサージ手袋においては、伸縮性素材で形成した左右一対の手袋の手首部分に、電源となる電池と、スイッチ、振動体としてのモーターを装着し、振動体と各指先に設けた振動板を連結軸で接続して振動体の振動を指先に伝達する方法である。
【０００７】
指先に振動や刺激を与える方法として、微弱電流を指先の導体に流す方法や、超音波の利用、或いは、低周波の利用も考えられる。
【０００８】
【発明の実施の態様】
指先に微振動や刺激を与えると、気持ちをリラックスさせることができる。そこで手の全ての指先に振動や刺激を同時に伝えることが必要になる。振動や刺激を与える方法としては、振動体の選定により指先マッサージ手袋の形状が異なってくる。各指先毎に振動体を設ける方法もあるが、手袋の根元部分に振動体を設け、この振動体から各指先に振動を伝達する方法が安価に済み、製造も容易である。振動や刺激の発生源としては、電池からの微電流、振動板、モーター、超音波、低周波等が利用できる。
【０００９】
指先に当たる振動板に部分的に突起を設け、指先のつぼを刺激する方法により、治療効果を得ることも可能である。
【００１０】
図面を参照して本発明の実施を説明する。
【００１１】
図１は本発明の請求項１に記載の指先マッサージ手袋の説明図である。指先マッサージ手袋１は右手用と左手用の一対の手袋より構成されている。図１では右手用の指先マッサージ手袋１を手の平側から見た状態を示している。指先マッサージ手袋１には電源として電池２が組み込まれ、スイッチ３の操作で配線４を経由して指先の振動体５に通電するようになっている。振動体５は通電による磁性体を利用して微振動を得る方法が取られることが多い。
【００１２】
図２は振動体５を形成する実施例の一例を示す断面図である。指先マッサージ手袋１の手首部分に設置された電池２とスイッチ３から指先の振動体５に配線４で連結している。振動体５は中間の振動板６と保持板７で構成されていて、振動板６が保持板７の磁極の変化により上下に振れることで振動を起こし、指８に振動を伝達する方式となっている。
【００１３】
図３は本発明の請求項２に記載の指先マッサージ手袋の説明図である。右手用の指先マッサージ手袋１を手の平側から見た状態を示している。指先マッサージ手袋１の振動体としてモーター９を利用している。指先マッサージ手袋１の手首部分にモーター９とスイッチ３を設置し、モーター９の振動を連結軸１０経由で指先に伝達する。各指の連結軸１０はモーター９の軸に一緒に連結するようになっているので、指先マッサージ手袋１の全ての指先に振動が同時に伝達される。
【００１４】
【発明の効果】
指先の刺激によるリラックス効果を得ることができる。
【００１５】
指先に刺激を与えることで、指先の不自由な人や老人のリハビリ効果がある。
【００１６】
ストレス解消に役立つ。
【００１７】
脳の働きを活性化させる。
【図面の簡単な説明】
【図１】本発明の請求項１に記載の指先マッサージ手袋の説明図である。
【図２】振動体５を形成する実施例の一例を示す断面図である。
【図３】本発明の請求項２に記載の指先マッサージ手袋の説明図である。
【符号の説明】
１  指先マッサージ手袋
２  電池
３  スイッチ
４  配線
５  振動体
６  振動板
７  保持板
８  指
９  モーター
１０  連結軸
【図１】
2004160120.tif 000003
【図２】
2004160120.tif 000004
【図３】
2004160120.tif 000005
(57)【要約】【課題】鍛えることができなかった動体視力を、モーターの動力で移動物を回転させ、それを見る事により動体視力を鍛え向上させる、動体視力トレーニングマシンを提供する。【解決手段】モーター（１）の回転軸に回転盤Ａ（２）を設け、回転盤Ａ（２）と左右対称の位置に支軸（６）を付けた回転盤Ｂ（３）を設け、回転盤Ａ（２）と回転盤Ｂ（３）を、移動物（５）を取り付けたベルト（４）でつなぐ。それらを、窓（７−１）のついた箱（７）に入れ、家庭用電源から電力を得、モーターを回転させる。窓（７−１）から回転盤Ａ（２）と回転盤Ｂ（３）を連動させ回転しているベルト（４）の一部に固定した移動物（５）を目で追うことにより動体視力を鍛える事を特徴とする。【選択図】      図１
2004160114.tif 000002
【特許請求の範囲】
【請求項１】
モーター（１）の回転軸に回転盤Ａ（２）を設け、回転盤Ａ（２）と左右対称の位置に支軸（６）を付けた回転盤Ｂ（３）を設け、回転盤Ａ（２）と回転盤Ｂ（３）を移動物（５）を取り付けたベルト（４）でつなぎモーター（１）の動力で連動させ、移動物（５）を見る動体視力トレーニングマシン。
【発明の詳細な説明】
【０００１】
【発明の属する技術分野】
この発明は、移動物を見る事により動体視力を鍛え向上できるようにした、動体視力トレーニングマシンに関するものである。
【０００２】
【従来の技術】
従来、トレーニングマシンは、体の各筋肉を鍛える機器や器具しかなく、動体視力を鍛えることができなかった。
【０００３】
【発明が解決しようとする技術】
これはつぎのような欠点があった。
現在、動体視力は、様々なスポーツ、特に球技や格闘技には大変重要とされている。しかし、体の各筋肉を鍛えるトレーニング器具は多数あるが、動体視力を鍛える為の器具や手段がなく、あきらめられていた。
本発明は、以上のような欠点を失くすためになされたものである。
【０００４】
【課題を解決するための手段】
モーター（１）の回転軸に回転盤Ａ（２）を設け、回転盤Ａ（２）と左右対称の位置に支軸（６）を付けた回転盤Ｂ（３）を設け、回転盤Ａ（２）と回転盤Ｂ（３）を移動物（５）を取り付けたベルト（４）でつなぎ連動させる。
それらを、移動物（５）の回転部分が見えるように窓（７−１）をつけた箱（７）に入れる。
本発明は、以上の構成よりなる動体視力トレーニングマシンである。
【０００５】
【発明の実施の形態】
以下、本発明の実施の形態について説明する。
モーター（１）の回転軸に、回転盤Ａ（２）を設ける。
回転盤Ａ（２）と左右対称の位置に、支軸（６）を取り付けた回転盤Ｂ（３）を設け、移動物（５）を取り付けたベルト（４）で、回転盤Ａ（２）と回転盤Ｂ（３）をつなぎ、モーター（１）の動力で回転盤Ａ（２）を回し、ベルト（４）に連動して回転盤Ｂ（３）が回転するようになる。それにより、ベルト（４）の一部に固定されている移動物（５）が、回転盤Ａ（２）と回転盤Ｂ（３）の周りを回るように見える。
それらの装置、モーター（１）回転盤Ａ（２）回転盤Ｂ（３）ベルト（４）移動物（５）支軸（６）を組み立てた物を、窓（７−１）を取り付けた箱（７）に入れる。
本発明は、以上のような構造でこれを使用するときは、家庭用電力によりモーター（１）を回転させ、窓（７−１）から回転盤Ａ（２）と回転盤Ｂ（３）の回りを回転する移動物（５）を目で追うことにより、動体視力を鍛え向上させる。
【０００６】
【発明の効果】
本発明を使用する事により動体視力を向上させることができる。
本発明の見る位置を変える事により、右回転、左回転、縦回転と各競技にあったトレーニングができる。
モーターの動力を変える事により、ボールの回転スピードが調節でき、個々にあったトレーニングができる。
【図面の簡単な説明】
【図１】本発明の分解図である。
【図２】本発明の内部斜視図である。
【図３】本発明の斜視図である。
【符号の説明】
１        モーター
１−１    モーターコンセント
１−２    モータースイッチ
２        回転盤Ａ
３        回転盤Ｂ
４        ベルト
５        移動物
６        支軸
７        箱
７−１    窓
８−１    支柱Ａ
８−２    支柱Ｂ
８−３    支柱Ｃ
【図１】
2004160114.tif 000003
【図２】
2004160114.tif 000004
【図３】
2004160114.tif 000005
(57)【要約】【課題】この発明は、トイレなどに備え付ける手拭き用タオルを毎日忘れずに交換できるようにするための、曜日名を書いた７種類のタオルに関するものである。【解決手段】（イ）タオル７枚を使い、１枚ごとに異なる曜日名を記入して、１週間の各曜日が記入された７種類のタオルを作成する。（ロ）このタオルをトイレなどの手拭き用として毎日１枚ずつ使用し、タオルを交換するときは、その日の実際の曜日とタオルに記入されている曜日を一致させるようにしながら交換していく。【選択図】  図１
2004160143.tif 000002
【特許請求の範囲】
【請求項１】
タオル７枚（１〜７）を使い、タオル１枚ごとに異なる曜日名（８〜１４）を書いたものを７曜分７種類作成し、この７枚を１組として構成するタオル
【発明の詳細な説明】
【０００１】
【発明の属する技術分野】
この発明は、トイレなどで手拭きに使用するため、７曜分７種類に分けて
作成した７枚１組のタオルに関するものである。
【０００２】
【従来の技術】
従来、家庭のトイレなどに備えている手拭き用タオルは、清潔維持のため毎日取り替えるのが望ましいことはほとんどの人が理解していながら、いつ取り替えたか忘れたり、家族の誰かが取り替えたかもしれないと推測したりして、毎日取り替えるのは思うようにいかないことが多い。その結果、タオルの取り替えを怠っていると同じタオルを不潔なまま長く使い続けることとなり、また、早すぎればタオルを無駄に使い洗浄の手間を不必要に増やすことになる。
【０００３】
【発明が解決しようとする課題】
本発明は、トイレなどに備えている手拭き用タオルを毎日忘れずに交換できるようにしようとするものである。
【０００４】
【課題を解決するための手段】
いまその解決手段を図面を追いながら説明すれば、
（イ）タオル７枚（１〜７）を用意する。
（ロ）タオル（１）に１つの曜日名（８）を書いたものを作る。
（ハ）タオルに書く文字の向きは、タオル掛けにタオルを掛けた状態で読みやすいように、タオルの中央部が上になるようにお互いに反対向きになるように書く。
（ニ）文字は、タオルを掛けたり畳んだりしても、書いてある曜日名が確認できるように、タオル全面にまんべんなく書く。
（ホ）タオルに書く曜日の文字は、タオルを使用している時や畳んである時に曜日がわかるという条件を満足するものであれば、その書体、漢字・英字の別、文字の大きさ、文字色及び文字の配置は任意のものでよい。
（ヘ）以上のような要領で、同様に他の６枚（２〜７）のタオルで、他の曜日名（９〜１４）を書いたものを作る。
このようにして作成した７曜分７枚を１組とする手拭き用タオルである。
【０００５】
【発明の実施の形態】
（イ）本発明は以上のような形態であるから、トイレなど手拭きが必要な場所にはこのタオルを当日の曜日に合わせて備え付ける。
（ロ）その日以降、タオルがその日取り替えられたものであるかどうかを確かめるには、その日の実際の曜日とタオルに書かれた曜日とを対比してみる。
（ハ）それが一致している場合はすでに誰かがタオルを交換したと判断することができ、もし、一致していない場合はまだ交換されていないと判断して交換すればよく、交換を確実に行うことができる。
【０００６】
【発明の効果】
（イ）したがって、トイレなどに備えられた手拭き用タオルの取り替えを忘れることがなくなる。
（ロ）しかも、家族の誰もがその日タオルを取り替えてあるかどうかを判断することができ、自主的な取り替えを促進する効果が期待できる。
（ハ）その結果として、トイレなどの手拭きタオルを毎日忘れずに清潔なものと取り替えることができ、同じタオルを不潔なまま長期間使用したり、取り替えが早すぎてタオル洗浄の手間を不必要に増やすことがなくなる。
（ニ）また、トイレで使うタオルとそれ以外で使うタオルを使い分けている家庭では区別しやすくなる。
【図面の簡単な説明】
【図１】本発明の平面図
【符号の説明】
１〜７はタオル本体
８〜１４はタオルに書く曜日名
【図１】
2004160143.tif 000003
(57)【要約】【目的】パックやフタ付きカップ飲料等に挿入して使用する飲料用ストローの、予想外のストローの引き抜けによる事故、怪我や飲料の飛散等を防ぐ事を目的にした物である。【構成】本発明は、ストロー（１）の途中に突起（２）、又は、かえり（３）のような  物を１個所から無数設けて、パックやフタ付きカップ飲料等に１度挿入した後、挿入口（４）に突起（２）、又は、かえり（３）のような物が引っかかり本体から抜けずらくする物である。【選択図】図１
2004160142.tif 000002
【特許請求の範囲】
【請求項１】
パックやフタ付きカップ飲料等に挿入して使用する飲料用ストローの、予想外のストローの引き抜けによる事故、怪我や飲料の飛散等を防ぐ為の物である。
【発明の詳細な説明】
【０００１】パックやフタ付きカップ飲料等に挿入して使用する飲料用ストローの、予想外のストローの引き抜けによる事故、怪我や飲料の飛散等はストローの引き抜けを防止するしか有りません。
【０００２】従来のストローには引き抜け防止の機能は付いていませんでした。
【０００３】本発明は、ストローに引き抜け防止の機能を付ける事によって予想外のストローの引き抜けによる事故、怪我や飲料の飛散等を防ぐ為の物である。
【０００４】本発明は、ストローの途中に突起、又は、かえりの様な物を１個所から無数設けて、１度挿入した後、挿入口に突起、又は、かえり、のような物が引っかかり本体から抜けずらくする物である。
【０００５】本発明を、図で説明すると、ストロー（１）の途中に突起（２）、又は、かえり（３）のような物を１個所から無数設けて、パックやフタ付きカップ飲料等に一度挿入した後、挿入口（４）に突起（２）、又は、かえり（３）、のような物が引っかかり本体から抜けずらくする物である。
【図面の簡単な説明】
【図１】本発明の簡略図  （断面図）
【符号の説明】
（１）ストロー
（２）突起    （１カ所から無数）
（３）かえり  （１カ所から無数）
（４）挿入口
【図１】
2004160142.tif 000003